(57)【要約】      （修正有）【課題】内部空間の温度上昇を抑制するディスクドライブを提供する。【解決手段】ケース体１０の内部空間１０Ａ内に、本体部の動作を制御する電気部品８１を搭載した回路基板８０を本体部の下方に配設する。熱伝導性に優れた熱伝達部材９１の一端部を電気部品８１に当接させる。熱伝達部材９１の他端部を、区画部１７にて本体部が位置する機械室１０Ａａと区画した冷却室１０Ａｂに延出させ上ケース１１の側板部１１ｂに当接させてねじ止めする。熱伝達部材９１の熱が上ケース１１に伝達して放熱し、下ケース１２からの熱の逆流を防止し、効率よく放熱できる。【選択図】図４
2005252013.tif 000002
【特許請求の範囲】
【請求項１】
内部空間を有するケース体と、前記内部空間内に配設され発熱部材が搭載された回路基板とを備えた電気機器における前記発熱部材の放熱装置であって、
一端部が前記発熱部材に当接され、他端部が前記回路基板に対して側方へ延出されて前記ケース体に当接する状態に配設された熱伝達部材を備えた
ことを特徴とした放熱装置。
【請求項２】
請求項１に記載の放熱装置であって、
前記内部空間内に前記回路基板の側方に位置して配設され、前記熱伝達部材が前記ケース体に当接する領域を含む空間を前記回路基板に対して区画する区画部を具備した
ことを特徴とした放熱装置。
【請求項３】
請求項１または請求項２に記載の放熱装置であって、
前記熱伝達部材は、前記内部空間内に前記回路基板に対して上方に位置して配設され電力が供給されて前記回路基板による制御にて動作する前記機器本体に対して、他端部が側方から上方の領域の位置で前記ケース体に当接されて配設された
ことを特徴とした放熱装置。
【請求項４】
内部空間を有するケース体と、前記内部空間内に配設され電力の供給により動作する機器本体と、前記内部空間内に前記機器本体より下方に位置して配設され前記機器本体の動作を制御する発熱部材が搭載された回路基板とを備えた電気機器における前記発熱部材の放熱装置であって、
一端部が前記発熱部材に当接され、他端部が前記機器本体に対して側方へ延出されて前記ケース体に当接されて配設された
ことを特徴とした放熱装置。
【請求項５】
請求項４に記載の放熱装置であって、
前記内部空間内に前記機器本体の側方に位置して配設され、前記熱伝達部材が前記ケース体に当接する領域を含む空間を前記機器本体に対して区画する区画部を具備した
ことを特徴とした放熱装置。
【請求項６】
請求項１ないし請求項５のいずれかに記載の放熱装置であって、
前記熱伝達部材は、他端部が少なくとも前記回路基板に対して側方から上方の領域の位置で前記ケース体に当接する状態に配設された
ことを特徴とした放熱装置。
【請求項７】
請求項４または請求項５に記載の放熱装置であって、
前記熱伝達部材は、他端部が前記機器本体に対して側方から上方の領域の位置で前記ケース体に当接する状態に配設された
ことを特徴とした放熱装置。
【請求項８】
請求項１ないし請求項７のいずれかに記載の放熱装置であって、
前記熱伝達部材は、前記発熱部材に当接する外面および前記ケース体に当接する外面以外を覆う断熱性を有した断熱部材が設けられた
ことを特徴とした放熱装置。
【請求項９】
請求項１ないし請求項８のいずれかに記載の放熱装置であって、
前記熱伝達部材は、他端部が前記ケース体の内面に当接する状態に配設され、
前記ケース体の前記熱伝達部材が当接する内面近傍に対応する外面位置に配設された熱伝導性を有した放熱部材を具備した
ことを特徴とした放熱装置。
【請求項１０】
請求項９に記載の放熱装置であって、
前記放熱部材を前記熱伝達部材とともに前記ケース体に取り付ける熱伝導性を有した取付部材を具備した
ことを特徴とした放熱装置。
【請求項１１】
内部空間を有するケース体と、
このケース体の前記内部空間内に配設され発熱部材が搭載された回路基板と、
前記発熱部材を放熱する請求項１ないし請求項１０のいずれかに記載の放熱装置と、
を具備したことを特徴とした電気機器。
【請求項１２】
請求項１１に記載の電子機器であって、
前記ケース体は、少なくとも下面を開口する上ケースと、この上ケースの少なくとも下面を閉塞する下ケースとを備え、
前記熱伝達部材は、他端部が前記上ケースに当接する状態に配設された
ことを特徴とした電子機器。
【請求項１３】
請求項１２に記載の電子機器であって、
前記上ケースは、熱伝導性が下ケースの熱伝導性より高い
ことを特徴とした電子機器。
【請求項１４】
請求項１１ないし請求項１３のいずれかに記載の電子機器であって、
前記ケース体は、前記内部空間が略密閉に区画形成された
ことを特徴とした電子機器。
【請求項１５】
請求項１１ないし請求項１４のいずれかに記載の電子機器であって、
前記熱伝達部材は、他端部が前記ケース体の内面に当接する状態に配設され、
前記ケース体は、前記熱伝達部材が当接する内面近傍に対応する外面に、表面が凹凸の放熱部を有した
ことを特徴とした電子機器。
【発明の詳細な説明】
【技術分野】
【０００１】
本発明は、ケース体内に配設され機器本体の動作を制御する発熱部材の熱を放熱する放熱装置および機器本体の動作を制御する発熱部材を搭載する回路基板をケース体内に配設する電気機器に関する。
【背景技術】
【０００２】
従来、電気部品などの発熱部材が搭載された回路基板をケース体内に収容した電気機器において、前記発熱部材の熱を放熱するため、各種放熱構造が採られている（例えば、特許文献１および特許文献２参照）。
【０００３】
特許文献１に記載のものは、樹脂材料にて形成され内部空間を有する第１のケース部材および第２のケース部材を備えている。内部空間には、電子部品を搭載した基板が収容される。第１のケース部材に貫通孔を設け、第１のケース部材に設けた放熱部材を装着している。放熱部材の一端部を内部空間に設け、放熱部材の他端部を第１のケース部材の外へ露出させている。放熱部材の一端部を、電子部品を搭載した基板の裏面に当接させる構成が採られている。しかしながら、この特許文献１に記載のものは、放熱部材を基板の裏面に取り付けているため、電子部品から発生する熱が効率よく放熱されないおそれがある。また、基板から放熱部材に伝達された熱は、放熱する際に上方に対流する状態となるため、効率よく放熱できないおそれがある。さらには、電子部品および基板に伝達した熱は、内部空間内で上方に向けて対流する状態となり、樹脂材料の第２のケース部材により内部にこもる状態となり、内部空間の温度が上昇して電子部品を損傷するおそれもある。
【０００４】
特許文献２に記載のものは、内部に発熱部材を有する通信システム用密閉筐体を、第１筐体および第２筐体の２つに分割された構成としている。第１筐体および第２筐体を断熱ゴムを介して結合させるとともにパッキンとして密閉構造としている。発熱部材からの放熱を伝達ゴムを介して第２筐体に熱伝達させて外気へ拡散させるとともに、発熱部材の熱を内部空気を介して第１筐体から外気へ拡散させる構成が採られている。しかしながら、この特許文献２に記載のものは、内部空気を介して第１筐体から外気へ拡散させる構成が採られていることから、例えば内部空間内に熱に対して比較的に損傷しやすい機器が配設される場合、温度が上昇した内部空気にて機器が損傷するおそれがある。
【０００５】
【特許文献１】特開２００１−２３７５７７号公報（第３頁左欄−第５頁左欄、図１）
【特許文献２】特開２００１−２４４６７１号公報（第２頁右欄−第３頁右欄）
【発明の開示】
【発明が解決しようとする課題】
【０００６】
上述したように、上記特許文献１および特許文献２に記載のような従来の放熱構造では、内部空間の温度上昇により内部に配設される電子部品や各種機器などが損傷するおそれがある問題が一例として挙げられる。
【０００７】
本発明は、上述したような実情などに鑑みて、内部空間の温度上昇を抑制する放熱装置および電気機器を提供することを目的とする。
【課題を解決するための手段】
【０００８】
請求項１に記載の発明は、内部空間を有するケース体と、前記内部空間内に配設され発熱部材が搭載された回路基板とを備えた電気機器における前記発熱部材の放熱装置であって、一端部が前記発熱部材に当接され、他端部が前記回路基板に対して側方へ延出されて前記ケース体に当接する状態に配設された熱伝達部材を備えたことを特徴とした放熱装置である。
【０００９】
請求項４に記載の発明は、内部空間を有するケース体と、前記内部空間内に配設され電力の供給により動作する機器本体と、前記内部空間内に前記機器本体より下方に位置して配設され前記機器本体の動作を制御する発熱部材が搭載された回路基板とを備えた電気機器における前記発熱部材の放熱装置であって、一端部が前記発熱部材に当接され、他端部が前記機器本体に対して側方へ延出されて前記ケース体に当接されて配設されたことを特徴とした放熱装置である。
【００１０】
請求項１１に記載の発明は、内部空間を有するケース体と、このケース体の前記内部空間内に配設され発熱部材が搭載された回路基板と、前記発熱部材を放熱する請求項１ないし請求項１０のいずれかに記載の放熱装置と、を具備したことを特徴とした電気機器である。
【発明を実施するための最良の形態】
【００１１】
〔第１の実施の形態〕
以下、本発明の第１の実施の形態を図面に基づいて説明する。本実施の形態では、ディスク状記録媒体として光ディスクに情報を記録および読み出すディスク装置としてのディスクドライブを例示して説明するが、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれのディスク状記録媒体に各種情報を記録あるいは読み出すいずれのディスク装置を対象とすることができる。さらには、ディスク装置に限らず、通信装置や演算装置など、電力の供給により動作し発熱部材である電気部品が搭載された回路基板をケース体内に収容するいずれの電気機器を対象とすることができる。また、ディスク状記録媒体の平面が略水平方向に沿って装着される利用形態で回路基板の平面が略水平に配設される構成について説明するが、平面が略鉛直方向に沿って装着される利用形態や構成のものなどでも適用できる。
【００１２】
（ディスクドライブの構造）
図１は、第１の実施の形態に係るディスクドライブの構成を示す分解斜視図である。図２は、ディスクドライブの概略構成を示す側面図である。図３は、ディスクドライブの概略構成を示す一部を切り欠いた平面図である。図４は、ディスクドライブの放熱装置近傍を示す一部を切り欠いた断面図である。図５は、ディスクドライブの側面図である。なお、図２は、説明の都合上、枠体の取付リブに上ケース３の取付片部３ｄおよび下ケース４の取付ダボ４ｂが挾持する状態にねじ止めされる構成を省略した図である。また、図３は、説明の都合上、ケース体を熱伝達部材がねじ止めされた位置で切り欠き、回路基板の外形のみを示し、本体部および枠体は省略した図である。さらに、図４は、説明の都合上、本体部を省略し、枠体および回路基板を簡略的に示した図である。
【００１３】
図１において、１００はディスクドライブで、このディスクドライブ１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。
【００１４】
そして、上ケース１１は、例えばアルミニウムやアルミニウム合金などの熱伝導性が比較的に高い金属板にて形成されている。この上ケース１１は、長方形平板状の天板部１１ａと、天板部１１ａの長手方向の両側縁に略垂直で一連に折曲形成された側板部１１ｂと、天板部１１ａの長手方向の一端縁に側板部１１ｂと同方向に略垂直で一連に折曲形成された端板部１１ｃとにより、下面および前面を開口した略箱状に形成されている。なお、端板部１１ｃは、側板部１１ｂより折曲方向の長さ方向が短く形成されている。また、側板部１１ｂの略中央には、外方に向けて裁頭形状に拡開する放熱部としても機能し得る取付凹部１１ｄが複数設けられている。これら取付凹部１１ｄの略中央には、ねじ孔１１ｅが穿設されている。さらに、上ケース１１の側板部１１ｂの下端縁には、複数箇所、例えば２箇所内方に向けて折曲形成され図示しないねじ孔が穿設された取付片部１１ｆが設けられている。
【００１５】
また、下ケース１２は、例えば上ケース１１に比して熱伝導性が低い鋼板などの金属板にて形成されている。なお、合成樹脂などの熱伝導性が低い材料にて形成してもよい。この下ケース１２は、上ケース１１の天板部１１ａと略同形状の長方形平板状の底板部１２ａと、底板部１２ａの長手方向の両側縁に略垂直で一連に折曲形成された下側板部１２ｂと、底板部１２ａの長手方向の一端縁に下側板部１２ｂと同方向に略垂直で一連に折曲形成された下端板部１２ｃとにより、上面および前面を開口する略薄型箱状に形成されている。さらに、この下ケース１２には、天板部１１ａの取付片部１１ｆに対応して上方に向けて膨出するように屈曲されねじ孔１２ｄが穿設された取付ダボ１２ｅが設けられている。
【００１６】
さらに、化粧板１３は、例えばアクリロニトリル−ブタジエン−スチレン（ＡＢＳ；Acrylonitrile-Butadiene-Styrene）などの合成樹脂製の略板状に形成されている。この化粧板１３には、一面に略垂直に突出され、先端部にそれぞれ上ケース１１の側板部１１ｂおよび下ケース１２に係脱可能に係合する図示しない係合爪部が突設されている。また、化粧板１３には、長手方向となる左右方向に長手状の窓部１３ａが開口形成されている。さらに、化粧板１３には、スイッチ操作部１３ｂと、動作確認窓１３ｃと、が設けられている。そして、化粧板１３は、接合する上ケース１１および下ケース１２の開口する前面を閉塞する状態に取り付けられる。
【００１７】
また、ケース体１０は、剛性および絶縁性を有した例えばＡＢＳなどの合成樹脂製の枠体１５を備えている。この枠体１５は、図３および図４に示すように、上ケース１１、下ケース１２および化粧板１３にて内部に区画される内部空間１０Ａ内に配設されている。そして、枠体１５は、図１に示すように、上ケース１１の側板部１１ｂの内面に間隙を介してそれぞれ対向する側面部１５ａと、端板部１１ｃおよび下端板部１２ｃの内面に密着する端面部１５ｂと、側面部１５ａの端面部１５ｂに対して反対側の端部間に架橋するように設けられた開閉駆動配設部１５ｃとを有し、略四角枠状に形成されている。さらに、枠体１５の側面部１５ａおよび端面部１５ｂの内面側には、内方に向けて突出する支持リブ１５ｄが一連に設けられている。さらに、枠体１５の側面部１５ａには、上ケース１１の取付片部１１ｆおよび下ケース１２の取付ダボ１２ｅ間に挾持されてねじ止めされる取付リブ部１５ｅが設けられている。そして、枠体１５は、図４に示すように、上端縁と上ケース１１の内面との間に断熱性を有した四角枠状のシール部材１６が挾持された状態で、例えばねじ止めなどによりケース体１０に取り付けられる。この枠体１５がケース体１０内に取り付けられることで、シール部材１６および枠体１５の側面部１５ａにより、枠体１５の内周側に略気密な機械室１０Ａａが区画されるとともに、側面部１５ａの外面側とケース体１０の内面との間に空間である冷却室１０Ａｂが区画される。これらシール部材１６および枠体１５の側面部１５ａにて本発明の区画部１７が構成される。
【００１８】
また、この枠体１５には、図１に示すように、機器本体としての本体部２０が配設されている。この本体部２０は、例えば金属製の平板枠状に形成された台座部２１を有している。この台座部２１は、枠体１５の端面部１５ｂから突出する支持リブ１５ｄに一縁が上下方向に回動可能に他縁がねじ止めされて取り付けられている。この台座部２１の一縁には、回動案内部２２が一体的に取り付けられている。この回動案内部２２は、台座部２１が一体的にねじにて取り付けられる台座部２１の一縁に沿って長手状の取付保持部２２ａと、この取付保持部２２ａの長手方向の両端部に略垂直に一体的に突設され先端が枠体１５の側面部１５ａから突出する支持リブ１５ｄに回動可能に軸支される一対の回動腕部２２ｂとを有している。そして、台座部２１は、回動案内部２２により、回動が案内される。
【００１９】
さらに、台座部２１には、回動する一縁側に位置して回転駆動部としてのディスク回転駆動手段２５が配設されている。このディスク回転駆動手段２５は、例えばスピンドルモータなどの回転用電動モータ２６と、この回転用電動モータ２６の図示しない出力軸に一体的に設けられた一方の挾持部材としてのターンテーブル２７とを有している。このターンテーブル２７は、光ディスク２８の中心に開口形成された軸孔２８ａに嵌挿する略円柱状の回転軸２７ａと、この回転軸２７ａの外周面にフランジ状に突設され光ディスク２８の軸孔２８ａ周縁が載置される鍔部２７ｂとを有している。そして、ターンテーブル２７の回転軸２７ａの先端部には、図示しない磁石が埋設されている。
【００２０】
また、台座部２１には、移動手段３１が配設されている。この移動手段３１は、一対のガイドシャフト３２および移動用電動モータ３３を備えている。そして、一対のガイドシャフト３２は、台座部２１の軸支された他縁から回動側の一縁へ向けた方向に軸方向を有して配設されている。さらに、移動用電動モータ３３は、図示しない出力軸の軸方向がガイドシャフト３２の軸方向に沿う状態で配設されている。この移動用電動モータ３３の出力軸の外周面には、螺旋状に図示しない係合溝が設けられている。
【００２１】
さらに、移動手段３１には、再生手段４１が配設されている。この再生手段４１は、一対のガイドシャフト３２に架橋する状態で保持された図示しない移動保持部を有している。この移動保持部には、ガイドシャフト３２を移動可能に嵌挿する図示しない保持部と移動用電動モータ３３の出力軸の係合溝に係合する図示しない移動規制爪部が設けられている。また、再生手段４１の移動保持部には、図示しない光源と、この光源からの光を収束するレンズと、光ディスク２８から反射された光を検出する図示しない光センサとを備えた情報処理部としてのピックアップ４５が配設されている。
【００２２】
また、枠体１５には、この枠体１５の内側に支持リブ１５ｄの上方側で水平方向に進退可能に移動するディスクトレイ５０が配設されている。このディスクトレイ５０は、図１に示すように、例えば合成樹脂にて略長方形板状に形成されたトレイであるトレイ部５１を有している。このトレイ部５１の一面には、上方に向けて拡開する略円形凹状で底面が光ディスク２８が載置可能に収容する載置凹部５１ａが設けられている。また、トレイ部５１には、載置凹部５１ａの略中央から外周縁に亘って本体部２０のディスク回転駆動手段２５および再生手段４１に対応して開口する開口部５１ｂが形成されている。そして、このトレイ部５１の長手方向の一縁には、化粧板１３と同材質にて形成され、ケース体１０の化粧板１３の窓部１３ａを閉塞する長手板状の窓閉塞板部５２が着脱可能に取り付けられている。
【００２３】
そして、枠体１５には、図１に示すように、開閉駆動配設部１５ｃに位置して開閉駆動手段６０が配設されている。この開閉駆動手段６０は、互いに係合して開閉駆動配設部１５ｃに回転自在に軸支された駆動伝達プーリ６２、この駆動伝達プーリ６２に係合する駆動伝達ギヤ６３、およびこの駆動伝達ギヤ６３に係合するとともにディスクトレイ５０に係合する移動ギヤ６４を有している。また、開閉駆動手段６０には、出入用電動モータ６５を備えている。この出入用電動モータ６５の出力軸６５ａには、プーリ６６が一体的に設けられている。このプーリ６６と駆動伝達プーリ６２とには、無端ベルト６７が掛け渡されている。そして、出入用電動モータ６５の駆動により、プーリ６６、駆動伝達プーリ６２、駆動伝達ギヤ６３および移動ギヤ６４が回転し、ディスクトレイ５０が化粧板１３の窓部１３ａから進退可能に移動される。
【００２４】
また、開閉駆動手段６０は、枠体１５の開閉駆動配設部１５ｃに側面部１５ａの対向方向に沿って移動可能に配設された移動カム６８を有している。この移動カム６８は、台座部２１に一体的に取り付けられた回動案内部２２に係合するとともに、駆動伝達ギヤ６３に係合し、出入用電動モータ６５の駆動にて駆動伝達ギヤ６３が回転すると、移動カム６８が移動して台座部２１を上下方向に回動させる。なお、移動カム６８は、ディスクトレイ５０が後退して枠体１５内に位置する状態で台座部２１を上方に回動させ、ディスクトレイ５０が進退移動する際には、台座部２１が下方に回動されてディスクトレイ５０と干渉しないようになっている。
【００２５】
そして、上述したディスク回転駆動手段２５、移動手段３１、再生手段４１および開閉駆動手段６０により、本体部２０が構成される。
【００２６】
また、枠体１５には、図１に示すように、側面部１５ａ間に架橋する状態でねじにて固定される回転子支持部材７０が設けられている。この回転子支持部材７０は、例えば金属板がプレス加工されて形成され、周縁が一面側に拡開する状態に傾斜して略薄型皿状に形成されている。そして、回転子支持部材７０の一縁がディスクトレイ５０の載置凹部５１ａに対応する円弧状に形成され、載置凹部５１ａを略覆って光ディスク２８が収容される収容空間を区画形成する。また、回転子支持部材７０には、円弧状の一縁の中心と略同位置となる略中央に、ディスク回転駆動手段２５のターンテーブル２７に対向する位置に上方に向けて凹状の支持凹部７２が設けられている。この支持凹部７２の略中央には、支持孔７３が開口形成されている。この回転子支持部材７０の支持凹部７２には、他方の挾持部材としての回転子７５が回転可能に載置されている。そして、回転子７５は、略円盤状で、外周縁が支持孔７３の周縁に係合可能に形成されている。また、この回転子７５には例えば金属板などの図示しない磁性材料が一体的に取り付けられ、回転子７５はターンテーブル２７の磁石の磁力にてターンテーブル２７とにより光ディスク２８を挾持する。
【００２７】
また、枠体１５には、図１ないし図４に示すように、回路基板８０が取り付けられている。この回路基板８０は、図４に示すように、枠体１５の側面部１５ａに設けられた基板取付爪部１５ｆにより係脱可能に取り付けられる。回路基板８０は、ケース体１０の下ケース１２と略同寸法の平板状で、枠体１５の下面を閉塞して本体部２０の下方を覆うように取り付けられる。この回路基板８０には、本体部２０の動作を制御する発熱部材としての電気部品８１を有した図示しない制御回路が搭載されている。なお、回路基板８０は、枠体１５に取り付けられた状態で、特に発熱量が多い電気部品８１が本体部２０とは反対側となる下ケース１２の内面に対向する状態で配設される。すなわち、回路基板８０は、枠体１５に取り付けられた状態で、ケース体１０内に、上方に本体部２０が配設される枠体１５の内周側の機械室１０Ａａが区画形成されるとともに、下方に回路基板８０と下ケース１２の内面との間の間隙で電気部品８１が臨む電気室１０Ａｃが区画形成される。
【００２８】
さらに、回路基板８０には、図１に示すように、図示しない電源線や外部の各種電気機械との信号を送受信するケーブルなどが着脱可能に接続されるコネクタ部８５が設けられている。このコネクタ部８５は、枠体１５の端面部１５ｂの外面側に位置する状態で、ケース体１０の後端面の開口から外部に臨む状態で配設されている。
【００２９】
また、ケース体１０内には、放熱装置９０が配設されている。この放熱装置９０は、例えばアルミニウムやアルミニウム合金などの比較的に熱伝導性が高い金属板にて形成された熱伝達部材９１を備えている。この熱伝達部材９１は、図１ないし図４に示すように、枠体１５の外面からこの枠体１５に配設された回路基板８０における放熱対象の電気部品８１の位置までの長さ寸法で電気部品８１と略同幅寸法の四角板状に形成された当接部９１ａを有している。この当接部９１ａの一縁には、略垂直に折曲された板状の熱伝達部９１ｂが一連に折曲形成されている。この熱伝達部９１ｂは、当接部９１ａから次第に幅広に形成され、上ケース１１の各取付凹部１１ｄの位置に対応する略扇状に形成されている。また、熱伝達部９１ｂには、取付凹部１１ｄのねじ孔１１ｅに対応する位置に、内周面に図示しない雌ねじが設けられた雌ねじ孔９１ｃが設けられている。さらに、熱伝達部材９１は、図４に示すように、電気部品８１が当接する近傍および上ケース１１の取付凹部１１ｄが当接する近傍を除く外面に、例えば断熱材９２が被覆形成されている。
【００３０】
そして、熱伝達部材９１は、図２ないし図４に示すように、取付凹部１１ｄのねじ孔１１ｅから熱伝達部９１ｂのねじ孔９１ｃに、例えばアルミニウムやアルミニウム合金などの比較的に熱伝導性の高い取付部材としての取付ねじ９３が螺着され、熱伝達部９１ｂが上ケース１１の取付凹部１１ｄに当接するととともに当接部９１ａが電気部品８１に当接する状態に取り付けられる。なお、熱伝達部材９１の当接部９１ａと電気部品８１との間に、図４に示すように、電気部品８１が当接部９１ａに密着して効率よく熱伝達可能に、例えばシリコンゴムなどの熱伝導性、絶縁性および弾力性を有した密着部９４を設けてもよい。そして、この熱伝達部材９１が取付ねじ９３にて取り付けられた位置は、枠体１５に配設された本体部２０の特に熱負荷に弱いピックアップ４５の位置に対して側方または上方となる位置関係となっている。これら熱伝達部材９１と、取付ねじ９３と、上述した区画部１７とにて、放熱装置９０が構成される。なお、取付ねじ９３が取り付けられた状態で、上ケース１１の側面から取付ねじ９３が突出しないように、取付凹部１１ｄが形成されている。
【００３１】
（ディスクドライブの動作）
次に、上記一実施の形態のディスクドライブ１００の動作を説明する。
【００３２】
まず、ディスクドライブ１００に電力を供給する。そして、利用者は、化粧板１３のスイッチ操作部１３ｂを操作する。このスイッチ操作部１３ｂの操作により、回路基板８０に設けられた図示しないスイッチが開閉し、回路基板８０の制御回路が開閉駆動手段６０の出入用電動モータ６５を駆動させる。この出入用電動モータ６５の駆動により、プーリ６６、駆動伝達プーリ６２、駆動伝達ギヤ６３および移動ギヤ６４が回転し、移動ギヤ６４に係合するディスクトレイ５０が化粧板１３の窓部１３ａから進出する方向に移動する。この移動の際、開閉駆動手段６０の移動カム６８も移動し、この移動カム６８に係合する回動案内部２２が下方に向けて回動し、台座部２１が下方に向けて回動され、本体部２０が進出するディスクトレイ５０と干渉しないように待避する。
【００３３】
この進出したディスクトレイ５０の載置凹部５１ａに光ディスク２８を、この光ディスク２８の記録面が下方に向く状態で載置する。この後、再び化粧板１３のスイッチ操作部１３ｂを操作し、開閉駆動手段６０の出入用電動モータ６５を回転駆動させ、ディスクトレイ５０を窓部１３ａ内に後退させホームポジションに位置させる。このディスクトレイ５０の後退の際、下方に待避状態の本体部２０が台座部２１とともに移動カム６８に係合する回動案内部２２により上方に向けて移動される。この本体部２０の上方への回動により、ディスク回転駆動手段２５のターンテーブル２７の回転軸２７ａが光ディスク２８の軸孔２８ａに嵌挿する。さらに、ターンテーブル２７の磁石の磁力により、ターンテーブル２７と回転子７５との間に光ディスク２８が挟持固定される。
【００３４】
この状態で、回路基板８０の制御回路が本体部２０を制御し、ディスク回転駆動手段２５の回転用電動モータ２６にて回転される光ディスク２８に記録された情報を、移動手段３１にて適宜移動される再生手段４１のピックアップ４５にて読み取る、あるいは情報を記録する。
【００３５】
このディスクドライブ１００の動作の際、回路基板８０の制御回路を構成する電気部品８１が発熱する。この発熱した電気部品８１の熱は、熱伝達部材９１を介してケース体１０の上ケース１１に伝熱され、この外気に露出する上ケース１１から放熱される。すなわち、上ケース１１の側面および上面に臨む外部の空気に効率よく伝達され、下面に臨む機械室１０Ａａ内の空気にはあまり伝達されない。なお、熱伝達部材９１は、断熱材９２にて被覆されているため、例えば下ケース１２や熱伝達部材の周囲の空気に伝熱することなく、ほとんどの熱が上ケース１１に伝達される。そして、上ケース１１の内面に臨む機械室１０Ａａ内の空気に仮に伝達されても、その空気は、機械室１０Ａａの上方に位置することから、再び上ケース１１に伝達され、機械室１０Ａａ内の温度が上昇することが効率よく抑制される。
【００３６】
また、熱伝達部材９１が取り付けられる上ケース１１の側板部１１ｂは、冷却室１０Ａｂにて機械室１０Ａａから区画されていることから、上ケース１１からの熱が冷却室１０Ａｂ内の空気に伝達されても、機械室１０Ａａに対流することなく、再び上ケース１１に伝達されて外部に放熱されることとなる。このため、電気部品８１の熱が効率よく外部に放熱され、機械室１０Ａａ内の温度上昇が効率よく抑制される。
【００３７】
さらに、回路基板８０の他の部分から生じる熱は、上方の機械室１０Ａａ内の空気に伝達して上方に対流しても、上方に位置する上ケース１１に伝熱されて外部へ放熱される。なお、下ケース１２には、電気室１０Ａｃの空気により熱が伝わり難い。このため、下ケース１２に伝わった熱が、逆流することが防止される。すなわち、電気部品８１の熱を下ケース１２に伝達させて放熱させる構成では、再び電気室１０Ａｃ内の空気に伝達され、回路基板８０を介して機械室１０Ａａ内の空気に伝達され、機械室１０Ａａ内の温度が上昇するおそれがあるが、下ケース１２に熱を伝達させないことから、機械室１０Ａａ内の空気の温度上昇を効率よく抑制できる。さらに、下ケース１２が比較的に熱伝導性が低い部材であることから、上ケース１１に伝達された熱が下ケース１２に伝達されにくくなり、下ケース１２から熱が逆流することが抑制される。
【００３８】
（第１の実施の形態における作用効果）
上述したように、上記第１の実施の形態では、ディスクドライブ１００のケース体１０内に配設された回路基板８０の電気部品８１に一端部を当接させ、他端部を回路基板８０の側方に延出してケース体１０の上ケース１１の内面における回路基板８０および回路基板８０の電気部品８１にて動作制御される本体部２０に対して側方から上方に至る領域の位置で当接する熱伝導性を有した熱伝達部材９１を配設している。このため、例えばケース体１０の下ケース１２に電気部品８１の熱を伝達させる構成で下ケース１２から放熱する熱が逆流して内部空間１０Ａ内の温度上昇を生じてしまうことを防止でき、上述したように、上ケース１１に伝達された熱は効率よく外部に放熱され、内部空間１０Ａ内の温度上昇を効率よく抑制して本体部２０や回路基板８０の損傷を防止できる。
【００３９】
特に、上ケース１１に当接させているので、下ケース１２に熱が伝達して内部空間１０Ａ内の温度が上昇してしまうことを効率よく抑制できる。さらには、回路基板８０および本体部２０に対して側方から上方に至る領域の位置で熱伝達部材９１の他端部を当接させている。このため、回路基板８０や機器本体２０に対して側方から上方で効率よく放熱される状態が容易に得られる。
【００４０】
そして、熱伝達部材９１が上ケース１１に当接する領域を含む冷却室１０Ａｂを本体部２０および回路基板８０に対して区画する区画部１７を構成している。このため、上ケース１１に伝達された熱が内側の冷却室１０Ａｂ内の空気に伝達されても、冷却室１０Ａｂが機械室１０Ａａと隔離された状態となっているので、機械室１０Ａａ内を温度上昇させることなく、再び上ケース１１に伝達されて放熱される。したがって、本体部２０が位置する機械室１０Ａａの温度上昇をより効率よく抑制でき、本体部２０や回路基板８０の損傷を防止できる。
【００４１】
また、熱伝達部材９１の電気部品８１に当接する外面および上ケース１１の内面に当接する外面以外を断熱性を有した断熱材９２にて被覆している。このため、熱伝達部材９１に伝達された熱が回りの空気や下ケース１２に伝達されずに上ケース１１に効率よく伝達され、回りの空気や下ケース１２から回路基板８０を介して機械室１０Ａａに熱が伝達されることを防止でき、効率よく放熱できる。
【００４２】
さらに、熱伝達部材９１を上ケース１１に取り付ける取付ねじとして、熱伝導性に優れた例えばアルミニウムやアルミニウム合金などにて形成したものを用いている。このため、熱伝達部材９１の熱が冷却室１０Ａｂ内の空気に伝達されずに効率よく上ケース１１に伝達でき、効率よく放熱できる。
【００４３】
そして、上ケース１１の熱伝達部材９１を取り付ける部分を取付凹部１１ｄとしている。このため、熱伝達部材９１を取り付けるための強度を向上できるとともに、表面の凹凸により表面積が増大して放熱性を向上でき、より効率的に放熱できる。
【００４４】
また、上ケース１１を熱伝導性の優れた例えばアルミニウムやアルミニウム合金などにて形成している。このため、熱伝達部材９１が接合する上ケース１１の側面から上面部へ直ちに伝達され、熱伝達部材９１の熱が効率よく上ケース１１へ伝達でき、効率よく放熱できる。
【００４５】
さらに、上述したように、下ケース１２が比較的に熱伝導性が低い部材であることから、上ケース１１に伝達された熱が下ケース１２に伝達されにくくなり、下ケース１２から熱が逆流することが抑制され、効率よく放熱できる。
【００４６】
また、ケース体１０内に区画部１７を設けてシール部材１６により機械室１０Ａａを気密に区画形成している。このように、例えばピックアップ４５が塵埃により誤作動を生じやすい青色レーザなどにて情報の読み出しや記録をするために気密な構成としても、機械室１０Ａａ内の温度上昇を抑制できることから、熱によりピックアップ４５が損傷するなどを防止でき、特に気密構造でも有効に放熱されて確実な動作が得られる。
【００４７】
そして、上述したように、特に熱負荷に対して損傷しやすいピックアップ４５を備えたディスクドライブ１００に適用している。このような熱負荷に弱いピックアップ４５を備えた構成でも、ピックアップ４５が配設される機械室１０Ａａ内の温度上昇を抑制できるため、特に有効である。さらには、光ディスク２８挿脱され挿入された光ディスク２８を回転させる構成であるディスクドライブ１００では、回路基板８０を本体部２０より上方に配設して回路基板８０からの熱をそのまま上方から放熱させる構成では、回転する光ディスク２８に干渉せず、また光ディスク２８を保持するための回転子支持部材７０より上方に配設しなければならず、配設が困難で大型化するおそれもあることから、このようなディスクドライブ１００での効率的な放熱に有効である。
【００４８】
〔第２の実施の形態〕
次に、本発明における第２の実施の形態を図面に基づいて説明する。この第２の実施の形態は、上述した第１の実施の形態の放熱装置９０として、上ケース１１の外面に配設される放熱部材を備えた構成である。なお、第１の実施の形態と同一の構成については、同一符号を付して説明を省略する。図５は、第２の実施の形態に係るディスクドライブの概略構成を示す側面図である。図６は、ディスクドライブの概略構成を示す一部を切り欠いた平面図である。図７は、ディスクドライブの放熱装置近傍を示す一部を切り欠いた断面図である。なお、図５ないし図７は、上述した第１の実施の形態における図２ないし図４と同様に、説明の都合上、一部を省略した図である。
【００４９】
（ディスクドライブの構成）
ディスクドライブ１００は、ケース体２００を有している。このケース体２００は、第１の実施の形態の上ケース１１の取付凹部１１ｄとして、長手状の取付凹部２１１を有し、熱伝導性が比較的に低い例えば鋼板などにて形成された上ケース２１０を備えている。また、取付凹部２１１には、熱伝達部材９１の雌ねじ孔９１ｃに対応して複数、例えば３つのねじ孔１１ｅが設けられている。そして、上ケース２１０の下面を閉塞する状態で下ケース１２が取り付けられるとともに化粧板１３が前面に取り付けられ、ケース体２００が組立形成される。
【００５０】
また、取付凹部２１１の外面には、例えばアルミニウムやアルミニウム合金などの熱伝導性を有した長手状の放熱部としても機能する放熱部材９１０が配設されている。この放熱部材９１０は、ねじ孔１１ｅに対応して取付ねじ９３が貫通される貫通孔９１１を略中央に有した取付段差部９１２が複数設けられている。そして、放熱部材９１０の貫通孔９１１から上ケース２１０のねじ孔１１ｅを介して熱伝達部材９１の雌ねじ孔９１ｃに取付ねじ９３が螺着される。このことにより、上ケースを放熱部材９１０および熱伝達部材９１にて挾持する状態に、放熱部材９１０および熱伝達部材９１が上ケース２１０に取り付けられ、放熱装置９５０が構成される。この取り付けられた状態では、放熱部材９１０は、取付凹部２１１から突出しないように、取付凹部２１１内に収容される状態に取り付けられる。
【００５１】
（ディスクドライブの動作）
ディスクドライブ１００の動作の際、回路基板８０の制御回路を構成する電気部品８１が発熱する。この発熱した電気部品８１の熱は、熱伝達部材９１を介してケース体２００の上ケース２１０および放熱部材９１０に伝熱され、この外気に露出する放熱部材９１０および上ケース２１０から放熱される。すなわち、熱伝達部材９１の熱は上ケース２１０に直接伝達されるとともに、上ケース２１０および取付ねじ９３を介して放熱部材９１０に伝達される。そして、放熱部材９１０は熱伝導性が比較的に高いため順次放熱するとともに熱が伝達され、上ケース２１０は熱伝導性が比較的に低いため、特に側板部１１ｂで放熱されて天板部１１ａにはあまり伝達されない。このため、熱は、放熱部材９１０を中心としてケース体２００の側面部分で大きく放熱され、天板部１１ａではあまり放熱されない。したがって、天板部１１ａから熱が機械室１０Ａａに逆流することがより抑制され、本体部２０の損傷を確実に防止できる。
【００５２】
（第２の実施の形態における作用効果）
上述したように、上記第２の実施の形態では、上記第１の実施の形態の効果に加え、ケース体２００の熱伝達部材９１が当接する位置に対応する外面に、放熱部としての放熱部材９１０を設けている。このため、上ケース２１０の表面積が増大する状態となり、上ケース２１０に熱伝達部材９１から伝達される熱が、効率よく放熱できる。また、上ケース２１０の熱電動性が比較的に低い部材でも放熱部材９１０により放熱されるので、良好に放熱できる。さらには、上ケース２１０が熱伝導性が比較的に低い部材であることから、下ケース１２へ熱がさらに伝達されにくくなり、下ケース１２から熱が逆流することをより低減でき、効率よく放熱できるとともに、上ケース２１０の側面から天板部１ａに熱が伝達され、機械室１０Ａａに熱放射される逆流が防止されることで、機械室１０Ａａの良好なコントロールが可能となる。
【００５３】
また、放熱部材９１０をケース体２００に取り付けるために取付段差部９１２を設けている。このため、取付段差部９１２の強度を向上できるとともに、表面の凹凸により表面積が増大して放熱性を向上でき、より効率的に放熱できる。
【００５４】
さらに、放熱部材９１０を熱伝達部材９１が取り付けられる位置に対応して反対側の外面に取り付けている。このため、熱伝達部材９１からの熱が効率よく放熱部材９１０に伝達され、効率よく放熱できる。そしてさらには、放熱部材９１０と熱伝達部材９１とを取付ねじ９３にて一動作で取り付けでき、取付作業性も向上できる。
【００５５】
〔実施形態の変形〕
なお、本発明は、上述した各実施の形態に限定されるものではなく、本発明の目的を達成できる範囲で以下に示される変形をも含むものである。
【００５６】
すなわち、本発明の電気機器としては、上述したように、光ディスク２８を対象としたディスクドライブ１００の構成について説明したが、これに限らず、磁気ディスク、光磁気ディスクなど、光や磁気などにより情報を再生あるいは記録可能ないずれのディスク状記録媒体を利用する構成を対象とすることができる。また、ディスクトレイ５０を備えた構成について説明したが、例えばスロットインタイプなどの構成にも適用できる。さらには、ディスク装置に限らず、通信装置や演算装置など、電力の供給により動作し発熱部材である電気部品８１が搭載された回路基板８０をケース体１０，２００内に収容するいずれの電気機器を対象とすることができる。
【００５７】
また、冷却ファンを設け、冷却室１０Ａｂ内の空気を外部へ強制的に排出する構成、さらには電気室１０Ａｃ内の空気を外部へ強制的に排出させる構成、また上ケース１１の側板部１１ｂに冷却室１０Ａｂ内の空気が外部と流通可能な開口を設けるなどしてもよい。この構成によれば、より良好に放熱できる。
【００５８】
そして、熱伝達部材９１を上ケース１１，２１０の側板部１１ｂに当接させて説明したが、例えば天板部１１ａまで延出させて当接させる構成など、回路基板８０さらには本体部２０の側方から上方に至る領域のいずれの位置で当接する構成とすることができる。
【００５９】
さらに、上ケース１１，２１０に取付凹部１１ｄ，２１１を設けて説明したが、単にねじ孔１１ｅだけを設けたり、さらにはねじ止めに限らず、例えばリベット止めなど、各種取付方法が適用できる。
【００６０】
また、上ケース１１，２１０を例えば表面が凹凸となるように波形状に形成したり、複数のリブを設けた構成など、表面が凹凸となる状態に各種放熱部を構成してもよい。この構成によれば、より放熱性を向上できる。さらに、放熱部材９１０を熱伝達部材９１が当接する位置に対応して取り付けたが、異なる位置に取り付けるなどしてもよい。
【００６１】
そして、区画部１７を設けて説明したが、区画部１７を設けない構成としてもよい。さらに、区画部１７を枠体１５の側面部１５ａを利用したが、枠体１５とは別体の構成としてもよい。なお、枠体１５を利用することで、部品数を削減でき、構成の簡略化や製造性の向上、コストの低減などが得られる。また、シール部材１６を設けて機械室１０Ａａを気密に区画したが、シール部材１６を設けなくてもよい。さらには、ケース体１０を内部空間１０Ａが略気密となる状態に略密閉構造としたり、単に上ケース１１，２１０および下ケース１２を単にねじ止めしたりするなどの密閉構造でない構成としてもよい。
【００６２】
また、下ケース１２を熱伝導性の優れた部材にて形成してもよい。
【００６３】
そして、第２の実施の形態において、上ケース２１０を熱伝導性が比較的に低い鋼板などにて形成したが、例えば第１の実施の形態と同様に、熱伝導性に優れた部材にて構成してもよい。
【００６４】
また、放熱部材９１０の形状としても、単に板状に形成したり、波形状に形成したり、リブを設けた構成など、いずれの形状とすることができる。
【００６５】
そして、ケース体１０，２００を上ケース１１，２１０および下ケース１２を備えた構成について説明したが、上記形状に限らず、例えば各面をそれぞれ別体の部材を組み合わせて内部空間１０を区画する略箱形状、さらには球状に形成したものなど、いずれとしてもよい。また、例えば側板部１１ｂを下ケース１２に設けてもよい。この場合には、熱伝達部材９１を上ケース１１，２１０側の天板部１１ａに取り付けることが好ましい。
【００６６】
その他、本発明の実施の際の具体的な構造および手順は、本発明の目的を達成できる範囲で他の構造などに適宜変更できる。
【００６７】
〔実施の形態の効果〕
上述したように、ディスクドライブ１００のケース体１０内に配設された回路基板８０の電気部品８１に一端部を当接させ、他端部を回路基板８０に対して側方、あるいは回路基板８０の電気部品８１にて動作制御される本体部２０に対して側方に延出してケース体１０に当接する熱伝導性を有した熱伝達部材９１を配設している。このため、例えばケース体１０の下ケース１２に電気部品８１の熱を伝達させる構成で下ケース１２から放熱する熱が逆流して内部空間１０Ａ内の温度上昇を生じてしまうことを防止でき、上ケース１１に伝達された熱を効率よく外部に放熱でき、内部空間１０Ａ内の温度上昇を効率よく抑制して本体部２０や回路基板８０の損傷を防止できる。
【図面の簡単な説明】
【００６８】
【図１】本発明における第１の実施の形態に係るディスクドライブを示す分解斜視図である。
【図２】前記第１の実施の形態におけるディスクドライブの概略構成を示す側面図である。
【図３】前記第１の実施の形態におけるディスクドライブの概略構成を示す一部を切り欠いた平面図である。
【図４】前記第１の実施の形態におけるディスクドライブの放熱装置近傍を示す一部を切り欠いた断面図である。
【図５】本発明における第２の実施の形態に係るディスクドライブの概略構成を示す側面図である。
【図６】前記第２の実施の形態におけるディスクドライブの概略構成を示す一部を切り欠いた平面図である。
【図７】前記第２の実施の形態におけるディスクドライブの放熱装置近傍を示す一部を切り欠いた断面図である。
【符号の説明】
【００６９】
１０…ケース体
１０Ａ…内部空間
１１，２１０…上ケース
１１ｄ…放熱部としての取付凹部
１２…下ケース
１７…区画部
２０…機器本体としての本体部
８０…回路基板
８１…発熱部材としての電気部品
９０，９５０…放熱装置
９１…熱伝達部材
９２…断熱部材としての断熱材
９３…取付手段としての取付ねじ
１００，２００…電気機器としてのディスクドライブ
９１０…放熱部材
【図１】
2005252013.tif 000003
【図２】
2005252013.tif 000004
【図３】
2005252013.tif 000005
【図４】
2005252013.tif 000006
【図５】
2005252013.tif 000007
【図６】
2005252013.tif 000008
【図７】
2005252013.tif 000009